(57)【要約】【課題】螺鈿細工の持つ優れた装飾性を生かした装飾シートを提供すること。【解決手段】装飾用中間層１を上下のカード基材２，３の間に挟んで一体化して成る装飾カードであって、前記装飾用中間層を、周辺の枠の内側に貫通孔又は凹部を有する固定用シート１１と、この貫通孔又は凹部に固定され、天然の貝殻の内側の真珠層を散りばめた螺鈿シート１２とで構成し、かつ、前記カード基材のうち少なくとも一方と、固定用シートとを接着剤２ａ，３ａによって一体化する。真珠層の持つ優れた特有の光沢、色彩変化、あるいは深みを生かし、しかも、全体が強固に一体化して、螺鈿シートもカード基材から分離することがない。【選択図】図２
2017087611.tif 000002
【特許請求の範囲】
【請求項１】
装飾用中間層を上下のカード基材の間に挟んで一体化して成る装飾カードであって、
前記装飾用中間層が、周辺の枠の内側に貫通孔又は凹部を有する固定用シートと、この貫通孔又は凹部に固定され、天然の貝殻の内側の真珠層を散りばめた螺鈿シートとで構成されており、
かつ、前記カード基材のうち少なくとも一方と、固定用シートとが接着剤によって一体化されている、
ことを特徴とする装飾カード。
【請求項２】
前記カード基材のうち少なくとも一方が透明であることを特徴とする請求項１に記載の装飾カード。
【請求項３】
前記螺鈿シートが前記真珠層を接着剤で固定してシート形状に成形したものであることを特徴とする請求項１又は２に記載の装飾カード。
【請求項４】
前記螺鈿シートが、シート状支持体に前記真珠層を固定したものであることを特徴とする請求項１又は２に記載の装飾カード。
【請求項５】
上下の前記カード基材の厚みが互いに同一であることを特徴とする請求項１〜４のいずれかに記載の装飾カード。
【請求項６】
上下の前記カード基材のうち、一方のカード基材に磁気記録層が内在していることを特徴とする請求項１〜５のいずれかに記載の装飾カード。
【請求項７】
上下の前記カード基材のうち、一方のカード基材にＩＣチップが内在していることを特徴とする請求項１〜６のいずれかに記載の装飾カード。
【発明の詳細な説明】
【技術分野】
【０００１】
本発明は、螺鈿細工を利用して装飾性を高めたカードに関する。
【背景技術】
【０００２】
螺鈿細工は、天然の貝殻からその内側の真珠層の部分を板状に切り出して、これを散りばめたもので、漆器や木工品の表面に嵌め込んで使用されている。この螺鈿細工は特有の真珠光沢を有し、また、見る角度によってその色彩が変化する等、極めて深みと装飾性に優れた材料である。一方、この螺鈿細工は天然の貝殻を多量に使用することから、極めて高価であった。
【０００３】
ところで、このような螺鈿細工状の装飾柄を印刷や塗料の塗布によって表現した装飾品が知られている（特許文献１〜３）。このように印刷等によって螺鈿柄を表現した装飾品は、天然の貝殻を使用しないから安価に製造することができるが、その一方、螺鈿細工の持つ装飾性、すなわち、特有の光沢、色彩変化、あるいは深みを表現することは困難であった。
【先行技術文献】
【特許文献】
【０００４】
【特許文献１】特開２０１３−５９９３５号公報
【特許文献２】特開２０１４−４７００号公報
【特許文献３】特表２０１２−１２７６０８号公報
【発明の概要】
【発明が解決しようとする課題】
【０００５】
そこで、本発明は、天然の貝殻から製造した螺鈿シートを使用することによって、螺鈿細工の持つ優れた装飾性を生かしたカードを提供することを目的とする。
【課題を解決するための手段】
【０００６】
すなわち、請求項１に記載の発明は、装飾用中間層を上下のカード基材の間に挟んで一体化して成る装飾カードであって、
前記装飾用中間層が、周辺の枠の内側に貫通孔又は凹部を有する固定用シートと、この貫通孔又は凹部に固定され、天然の貝殻の内側の真珠層を散りばめた螺鈿シートとで構成されており、
かつ、前記カード基材のうち少なくとも一方と、固定用シートとが接着剤によって一体化されている、
ことを特徴とする装飾カードである。
【０００７】
次に、請求項２に記載の発明は、前記カード基材のうち少なくとも一方が透明であることを特徴とする請求項１に記載の装飾カードである。
【０００８】
また、請求項３に記載の発明は、前記螺鈿シートが前記真珠層を接着剤で固定してシート形状に成形したものであることを特徴とする請求項１又は２に記載の装飾カードである。
【０００９】
また、請求項４に記載の発明は、前記螺鈿シートが、シート状支持体に前記真珠層を固定したものであることを特徴とする請求項１又は２に記載の装飾カードである。
【００１０】
また、請求項５に記載の発明は、上下の前記カード基材の厚みが互いに同一であることを特徴とする請求項１〜４のいずれかに記載の装飾カードである。
【００１１】
また、請求項６に記載の発明は、上下の前記カード基材のうち、一方のカード基材に磁気記録層が内在していることを特徴とする請求項１〜５のいずれかに記載の装飾カードである。
【００１２】
また、請求項７に記載の発明は、上下の前記カード基材のうち、一方のカード基材にＩＣチップが内在していることを特徴とする請求項１〜６のいずれかに記載の装飾カードである。
【発明の効果】
【００１３】
天然の貝殻の内側の真珠層を散りばめた螺鈿シートを使用しており、この螺鈿シートを上下のカード基材で挟んでいるから、螺鈿シートの持つ優れた装飾性を生かしたカードを得ることができる。
【００１４】
ところで、このように天然の貝殻の内側の真珠層を散りばめた螺鈿シートは、一般に上下のカード基材と接着し難く、両者は剥離し易い。しかしながら、本発明の装飾カードにおいては、この螺鈿シートを固定用シートの貫通孔又は凹部に固定して装飾用中間層とし、その固定用シートを接着剤で少なくとも一方のカード基材に一体化しているから、装飾用中間層とカード基材とが強固に接着して剥離することがない。そして、このため、固定用シートに固定された螺鈿シートもカード基材から分離することがないのである。
【図面の簡単な説明】
【００１５】
【図１】図１は本発明の装飾用中間層に係り、図１（ａ）は貫通孔を有する固定用シートを使用した装飾用中間層の断面説明図、図１（ｂ）は凹部を有する固定用シートを使用した装飾用中間層の断面説明図である。
【図２】本発明の装飾カードの断面説明図である。
【発明を実施するための形態】
【００１６】
本発明に係る螺鈿シートは天然の貝殻の内側の真珠層を散りばめたものである。この螺鈿シートは、前記真珠層を接着剤で固定してシート形状に成形したものであってもよいし、シート状支持体に前記真珠層を固定したものであってもよい。
【００１７】
天然の貝殻としては、例えば、ヤコウガイ（夜光貝）、ミミガイ（南洋貝）、シロチョウガイ（白蝶貝）、クロチョウガイ（黒蝶貝）、カワシンジュガイ（青貝）、アコヤガイ（真珠貝）、タカセガイ（高瀬貝）、アワビ等の貝殻を使用することができる。これら貝殻を原料として、薬品を使用して内側の真珠層を剥がすことにより、厚み０．１〜１．５ｍｍの薄膜の真珠層を得ることができる。また、厚み１．５ｍｍ〜２．００ｍｍの貝殻を研磨することにより、厚膜の真珠層を製造することもできる。本発明の螺鈿シートには、これら薄膜の螺鈿及び厚膜の真珠層のいずれであっても使用することができる。
【００１８】
また、この真珠層を固定する接着剤としては、塩化ビニル−酢酸ビニル共重合体系接着剤、エポキシ系接着剤、アクリル系接着剤、ポリウレタン系接着剤等が使用できる。また、この接着剤として粘着剤を使用することもできる。例えば、アクリル系粘着剤、ポリエステル系粘着剤等である。また、これら接着剤に硬化剤を混合して、硬化型の接着剤としてもよい。例えば、ウレタン系又はエポキシ系の硬化剤である。
【００１９】
カードがＪＩＳ  Ｘ  ６３０１の規定に適合するカードである場合には、螺鈿シートの大きさは、その長辺側および短辺側が、この規格より１．０ｍｍ〜１０．０ｍｍ程度小さ
い大きさであることが望ましい。より望ましくは、この規格より１．０ｍｍ〜３．０ｍｍ程度小さい大きさである。
【００２０】
固定用シートは螺鈿シートと共に、上下のカード基材の間に挟まれて装飾カードを構成するものである。その外形はカードより小さいものであってもよいが、カード厚みを均一にするため、カードと同形同大であることが望ましい。
【００２１】
固定用シートには、螺鈿シートを収容して固定する貫通孔又は凹部が設けられている必要がある。図１（ａ）は貫通孔を設けた固定用シート１１に螺鈿シート１２を固定した装飾用中間層１の例を示す断面図である。また、図１（ａ）は凹部を設けた固定用シート１１’に螺鈿シート１２を固定した装飾用中間層１’の例を示す断面図である。貫通孔又は凹部の位置は任意でよく、例えば中央であってもよい。固定用シートに貫通孔が設けられている場合には、この固定用シート１１，１１’は螺鈿シート１２とほぼ同じ厚みを有することが望ましい。螺鈿シート１２とほぼ同じ厚みの貫通孔に螺鈿シート１２を固定して構成される装飾用中間層１，１’は、その全体の厚みが均一になる。また、同じ理由から、固定用シート１１，１１’に凹部が設けられている場合には、凹部の深さが螺鈿シート１２の厚みとほぼ同一であることが望ましい。
【００２２】
次に、固定用シート１１，１１’の貫通孔又は凹部の大きさは、螺鈿シート１２の大きさと同一であるか、あるいはこれよりわずかに大きいことが望ましい。例えば、螺鈿シート１２の大きさより０．５〜２．０ｍｍ大きいものである。より望ましくは螺鈿シート１２の大きさより０．５〜１．５ｍｍ大きいものである。
【００２３】
固定用シート１１，１１’としては、着色又は無着色の樹脂シートを使用することができる。樹脂シートとしては、ポリエステル樹脂、ＰＥＴ−Ｇ、アクリロニトリル−ブタジエン−スチレン共重合樹脂、塩化ビニル−酢酸ビニル共重合樹脂、ポリプロピレン樹脂、ポリカーボネート樹脂、トリアセテート樹脂、ポリアミド樹脂等のシートを使用することができる。このシートを着色するためには、着色顔料を添加してこれら樹脂シートを製膜すればよい。着色顔料としては、白色、黒色、藍色、紅色、黄色等、各色の着色顔料を使用することができ、これら着色顔料を添加することで光透過性のない樹脂シートを製造することができる。着色顔料の具体例を例示すると、ブリリアントカーミン６Ｃ、ジスアゾイエロー、フタロシアニングリーン、フタロシアニンブルー、メチルバイオレットレーキ、カーボンブラック、チタンホワイト等を挙げることができる。
【００２４】
固定用シート１１に貫通孔を形成する場合には、機械的に打ち抜いたり、あるいはレーザー照射して貫通孔の形状に切り抜くことによってこの貫通孔を形成することができる。また、凹部を形成する場合には、座刳り加工を施したり、あるいは貫通孔のあるシートとないシートとを張り合わせることにより、凹部を形成することができる。
【００２５】
そして、この貫通孔又は凹部に螺鈿シート１２を固定することにより、装飾用中間層１，１’を形成することができる。螺鈿シート１２は、接着剤によって固定用シート１１，１１’に固定されていることが望ましいが、固定用シート１１，１１’の貫通孔又は凹部に螺鈿シート１２を収容するだけでもよい。固定用シート１１，１１’の貫通孔又は凹部は螺鈿シート１２と同形同大であるか、せいぜい両者の間に０．５〜２．０ｍｍのわずかな隙間があるに過ぎないから、螺鈿シート１２は実質的に揺動することなく、その位置が固定される。
【００２６】
次に、カード基材の一方又は両方と固定用シートとを接着する接着剤は、カード基材とこの固定用シートとを強固に接着する役割を有するものである。この接着剤によって螺鈿シートとカード基材とを接着していることが望ましいが、一般にその接着強度は高くなら
ない。螺鈿シートとカード基材との間の接着強度が比較的低い場合でも、螺鈿シートは固定用シートの貫通孔又は凹部に固定されており、固定用シートがカード基材に強固に接着されているため、螺鈿シートは位置固定されて揺動することがない。なお、固定用シートは、上下のカード基材の両方と強固に接着していることが望ましい。
【００２７】
カード基材と固定用シートとを接着する接着剤は、固定用シートや上下のカード基材の材質に応じて汎用の接着剤の中から選択することができる。例えば、塩化ビニル−酢酸ビニル共重合体系接着剤、エポキシ系接着剤、アクリル系接着剤、ウレタン系接着剤等である。また、一般に粘着剤として知られているものを接着剤として使用することも可能である。例えば、アクリル系粘着剤、ウレタン系粘着剤等である。もちろん、これら粘着剤に前述のエポキシ系接着剤やウレタン系接着剤等を添加して使用してもよい。なお、望ましい接着剤は、エポキシ系接着剤又はウレタン系接着剤である。
【００２８】
次に、上下のカード基材のうち、少なくとも一方のカード基材は、螺鈿を透視できる程度の透明性を有することが望ましい。これら上下のカード基材の双方が透明であってもよい。また、これら上下のカード基材は単層のシートから構成されていてもよいが、それぞれ、複数の層を積層した積層構造を有していてもよい。この場合であっても、積層構造を有する上下のカード基材のうち、少なくとも一方のカード基材は透明である必要がある。
【００２９】
図１は、上下のカード基材の両方が積層構造を有するカードの例を示す断面説明図である。この例では、上側のカード基材２は、透明シート２１、オーバーシート２２、絵柄印刷層２３、保護層２４を積層して構成されており、全体として透明である。また、下側のカード基材３は、着色不透明シート３１、下地印刷層３２、オーバーシート３３を積層して構成されている。この下側カード基材３は不透明であるが、前述のとおり、透明な下側カード基材を使用することも可能である。そして、装飾用中間層１を、接着剤２ａ，３ａを介して、これら上下のカード基材２，３で挟んで一体化することにより、本発明の装飾カードを得ることができる。なお、この例では、固定用シートとして、貫通孔を有するシート１１を使用している。
【００３０】
なお、カード厚みの中間の位置に装飾用中間層１，１’を配置することでカードの反りの値をＪＩＳの規格である１．５ｍｍ以下に抑えることができる。これは、装飾用中間層１，１’を構成する螺鈿シート１２が熱の影響を受け難く、熱プレス時に他のシートの熱収縮に追従できないことに起因している。例えば、螺鈿シート１２を上側の透明シート２１よりも上側に配置すると、上側の透明シート２１が螺鈿シート１２の下側にくることで螺鈿シート１２を挟んで上側のシート厚みに比べて下側のシート厚みの方が厚くなり、熱プレス後、カードが上側に反る（下側に凹部ができる）。これに対して、螺鈿シート１２を上側の透明シート２１の下側に配置し、上側のカード基材２と下側のカード基材３との厚みを同じにすると、反り値がＪＩＳ  Ｘ  ６３０１の規定の範囲内におさまる。
【００３１】
透明シート２１としては、例えば、ポリエステル樹脂（ＰＥＴ）、アクリルニトリル−ブタジエン−スチレン共重合体、塩化ビニル−酢酸ビニル共重合体、ＰＥＴ−Ｇ、ポリプロピレン、ポリカーボネート、トリアセテート、ポリアミド等の樹脂から成るシートを使用することができる。着色不透明シート３１は、これら樹脂に着色顔料を混合してシート状に成形したものが好適である。着色顔料としては、ブリリアントカーミン６Ｃ、ジスアゾイエロー、フタロシアニングリーン、フタロシナニンブルー、メチルバイオレットレーキ、カーボンブラック、チタンホワイト等が使用できる。
【００３２】
また、透明シート２１、オーバーシート２２、オーバーシート３３としては、前記透明シート２１と同様の材質の樹脂シートを使用することができる。
【００３３】
絵柄印刷層２３は、グラビア印刷法、スクリーン印刷法、フレキソ印刷法、オフセット印刷法等の印刷方法でオーバーシート２２上に印刷して形成することができる。また、一旦仮の支持体上に印刷して、その後オーバーシート２２に転写する転写印刷法で形成することも可能である。絵柄印刷層２３は０．５〜１．０μｍの厚みを有することが望ましい。
【００３４】
オフセット印刷法で絵柄印刷層２３を印刷する場合を例として説明すると、このオフセット印刷法は、顔料とビヒクルとを必須成分とするオフセットインキを使用して印刷することができる。なお、オフセットインキには、このほか、裏移り防止剤、光重合開始剤、熱重合禁止剤等を混合することができる。このオフセットインキとしては、そのビヒクルに応じて、紫外線硬化型インキ、酸化重合型インキ、浸透型インキ、加熱乾燥型インキ、蒸発乾燥型インキ等を使用することができる。
【００３５】
このオフセットインキに使用する顔料としては、ブリリアントカーミン６Ｃ、ジスアゾイエロー、フタロシアニングリーン、フタロシナニンブルー、メチルバイオレットレーキ、カーボンブラック、チタンホワイト等が例示できる。また、ビヒクルとしては、ロジン変性フェノール樹脂、桐油、高沸点脂肪族石油溶剤、ポリ酢酸ビニル又はその共重合樹脂、エチレン−酢酸ビニル共重合樹脂、塩化ビニル−酢酸ビニル共重合樹脂、尿素樹脂、メラミン樹脂、ケトン樹脂、ポリ塩化ビニル樹脂、アクリル樹脂、ポリエステル樹脂、アルキド樹脂、ポリアミド樹脂、エポキシ樹脂、ポリウレタン樹脂、ニトロセルロース、エチルヒドロキシエチルセルロース、環化ゴム、塩化ゴム等が使用できる。また、加熱や紫外線照射によって重合するアクリル系モノマーやオリゴマーをビヒクルとして使用することもできる。また、光重合開始剤としては、ベンゾフェノン、ベンジル、ジメチルアミノベンゾフェノン等を使用できる。熱重合禁止剤としてはハイドロキノンを例示できる。
【００３６】
次に、保護層２４は、顔料を含まない透明インキを絵柄印刷層２３の上に印刷することによって形成することができる。印刷方法としては、グラビア印刷法、スクリーン印刷法、フレキソ印刷法、オフセット印刷法、あるいは転写印刷法を採用することができる。保護層２４の厚みは１．０〜１．５μｍでよい。
【００３７】
また、下地印刷層３２も、グラビア印刷法、スクリーン印刷法、フレキソ印刷法、オフセット印刷法、あるいは転写印刷法を使用して下側カード基材３上に印刷することによって形成することが可能である。下地印刷層３２の厚みは１．０〜３．０μｍでよい。
【００３８】
次に、このカードは次のように製造することができる。すなわち、まず接着剤３ａを塗布した下側カード基材３の接着剤３ａ面に固定用シート１１，１１’を重ね、次に、この固定用シート１１，１１’の貫通孔又は凹部に螺鈿シート１２を収容して固定して装飾用中間層１を形成する。次に、接着剤２ａを塗布した上側カード基材２を、この装飾用中間層１の上に重ね、全体を熱プレスして一体化することによって本発明の装飾カードを製造することができる。
【００３９】
なお、固定用シートとして貫通孔を設けたシート１１を使用し、この固定用シート１１を下側カード基材３に載置する際には、その貫通孔に固定する螺鈿シート１２が下地印刷層３２に接触しないように、下側カード基材３の着色不透明シート３１側に固定用シート１１を配置することが望ましい。下地印刷層３２と螺鈿シート１２とが接触すると、螺鈿シート１２に散りばめられた真珠層の固さによって下地印刷層３２が損傷を受けることがある。
【００４０】
次に、これらを一体化させる熱プレスは、上側カード基材２、装飾用中間層１及び下側カード基材３を、加熱した金属板やロールの間に挟んで行うことができる。また、上側カ
ード基材２とこれら金属板やロールとの間、あるいは、下側カード基材３とこれら金属板やロールとの間にフィルムを介在させてプレスすることによって一体化することも可能である。プレスの条件は、８０〜１８０℃、１．０〜５０ＭＰａ、１〜３０分が適している。
【００４１】
表面凹凸状のマット加工を施した装飾カードを製造する場合には、算術平均粗さＲａが０．２〜１．５μｍの表面を持つ金属板やロールを使用してプレスすればよい。また、同様の算術平均粗さＲａを持つフィルムを介してプレスした場合にも、表面マット状の装飾カードを製造することができる。一方、表面鏡面状の装飾カードを製造する場合には、算術平均粗さＲａが０．２μｍ以下の表面を持つ金属板やロールを使用すればよい。もちろん、同様の算術平均粗さＲａを持つフィルムを介してプレスした場合にも、表面鏡面状の装飾カードを製造することができる。このように上側カード基材２とこれら金属板やロールとの間、あるいは、下側カード基材３とこれら金属板やロールとの間に介在させるフィルムとしては、ポリエチレンフィルム、ポリプロピレンフィルム、ポリエチレンテレフタレートフィルム、ポリブチレンテレフタレートフィルム等を使用することができる。
【００４２】
なお、本発明の装飾カードを製造する場合、上側カード基材２及び下側カード基材３として大面積のシートを使用し、全体をプレス一体化して多面付けの装飾カードを製造し、次に個々の装飾カードに断裁することが望ましい。もちろん、この場合には、固定用シート１１，１１’として、それぞれの装飾カードに対応する多数の貫通孔又は凹部を有するシートを使用する必要がる。そして、螺鈿シート１２として個々の装飾カードより小さい面積の螺鈿シート１２を使用し、これら複数の螺鈿シート１２を固定用シート１１，１１’の貫通孔又は凹部に収容した後、上下の上側カード基材２，３の間に挟んでプレス一体化すればよい。このように、大面積の上側カード基材２と下側カード基材３との間に、小面積の複数の螺鈿シート１２を挟んでプレス一体化することにより、プレス時の上側カード基材２及び下側カード基材３の逃げ場を確保することができる。
【００４３】
以上、上側カード基材２及び下側カード基材３として、透明シート２１，３１に印刷層２３，３２を設けたものを例として説明したが、本発明がこれに限られないことは明らかである。例えば、上側カード基材２又は下側カード基材３として、磁気記録層が内在するシートを使用することができる。磁気記録層としては磁気テープを例示することができる。そして、この磁気テープが表面に位置するように重ねてプレス一体化することにより、表面に磁気テープを埋め込んだ装飾カードを製造することができる。
【００４４】
また、上側カード基材２又は下側カード基材３として、ＩＣチップが内在するシートを使用することができる。例えば、ＩＣチップを配線基板に搭載すると共に、この配線基板の一部に接触端子を設け、一方、上側カード基材２又は下側カード基材３にザグリ加工を施してこのザグリ部に前記ＩＣチップ付き配線基板を収容することにより、接触型ＩＣカードとすることが可能である。また、ＩＣチップと共にアンテナを内蔵させて、非接触型ＩＣカードとすることもできる。
【実施例】
【００４５】
（実施例）
図１に示す装飾カードを製造した。すなわち、まず、透明シート２１として厚さ０．３００ｍｍのＰＥＴ−Ｇシートを使用し、オーバーシート２２として厚さ０．０６５ｍｍの二軸延伸ポリエステルシートを使用した。そして、そのオーバーシート２２上に、順次、絵柄印刷層２３と保護層２４とを印刷して上側シート２を作成した。絵柄印刷層２３と保護層２４とは、いずれも、オフセット印刷法によって形成した。
【００４６】
また、透明シート３１として透明シート２１と同じ材質のシートを使用し、この透明シ
ート３１上に下地印刷層３２をスクリーン印刷して下側シート３を作成した。
【００４７】
そして、厚さ０．１００ｍｍのＰＥＴ−Ｇシートを刳り抜いて貫通孔を形成して、固定用シート１１を作成した。
【００４８】
次に、下側シート３の透明シート３１の上に接着剤３ａを塗布し、硬化前に固定用シート１１を載置し、続いて固定用シート１１の貫通孔に厚さ０．１００ｍｍの螺鈿シート１２を収容して固定することにより、装飾用中間層１を形成した。
【００４９】
そして、上側シート２の透明シート２１の上に接着剤２ａを塗布し、装飾用中間層１の上に重ね、全体を熱プレスして一体化して、本発明の装飾カードを製造した。
得られた装飾カードを上側カード基材２側から観察すると、絵柄印刷層２３の周囲に螺鈿細工特有の光沢、色彩変化、あるいは深みが観察できた。
【００５０】
また、この装飾カードは、そのカード厚みが均一で、螺鈿の真珠層の分離もなかった。そして、上下のカード基材２，３と装飾用中間層１との接着強度は、いずれも、０．３５Ｎ／ｍｍ以上であり、全体が強固に一体化していることが確認できた。
【００５１】
（比較例）
固定用シート１１を使用せず、接着剤を塗布した上下のカード基材２，３の間に螺鈿シート１２を挟み、全体を熱プレスして一体化して装飾カードを製造した。
【００５２】
得られた装飾カードは、実施例と同様に螺鈿細工特有の光沢等が観察できたが、上下のカード基材２，３と螺鈿シート１２との接着強度は低く、剥離し易いものであった。
【符号の説明】
【００５３】
１，１’：装飾用中間層    １１，１１’：固定用シート    １２：螺鈿シート
２：上側カード基材    ２１：透明シート    ２２：オーバーシート    ２３：絵柄印刷層    ２４：保護層    ２ａ：接着剤
３：下側カード基材    ３１：透明シート    ３２：下地印刷層    ３３：オーバーシート    ３ａ：接着剤
【図１】
2017087611.tif 000003
【図２】
2017087611.tif 000004